(57)【要約】【課題】浸出水を還流する埋立廃棄物層において有害物質を変化させるとともに、内部貯留の有無に関係なく埋立廃棄物層の全体を浄化することができる反応液循環式準好気性埋立処分方法を提供する。【解決手段】埋立廃棄物層３の浸出水を集排水管５で集水し、集排水管５から排出する浸出水を浸出水調整槽１３に貯留し、浸出水調整槽１３に貯留する浸出水を散水手段の供給ポンプ１４、送水管１５、散水口１６で埋立廃棄物層３に還流し、浸出水調整槽１３に薬剤として酸化剤、塩基、微生物培地を形成する養分、溶媒、キレート剤の少なくとも何れかを供給し、埋立廃棄物層３に還流する浸出水に伴って前記薬剤を埋立廃棄物層３に供給する。【選択図】    図１
2004351239.tif 000002
【特許請求の範囲】
【請求項１】
請求項１に係る本発明の反応液循環式準好気性埋立処分方法は、埋立廃棄物層の浸出水を浸出水集排水管で集水し、浸出水集排水管から排出する浸出水を浸出水調整槽に貯留し、浸出水調整槽に貯留する浸出水を散水手段で埋立廃棄物層に還流する循環式準好気性埋立処分方法において、浸出水調整槽に薬剤として酸化剤、塩基、微生物培地を形成する養分、溶媒、キレート剤の少なくとも何れかを供給し、埋立廃棄物層に還流する浸出水に伴って前記薬剤を埋立廃棄物層中に供給することを特徴とする反応液循環式準好気性埋立処分方法。
【請求項２】
移動可能な構造をなす散水手段を用いて浸出水の散水位置を変更することを特徴とする請求項１に記載の反応液循環式準好気性埋立処分方法。
【請求項３】
浸出水集排水管を通して埋立廃棄物層から浸出水を排出するとともに、浸出水集排水管を通して埋立廃棄物層へ空気を供給する非内部貯留状態と、埋立廃棄物層に浸出水を所定水位に滞水させる内部貯留状態とを繰り返すことを特徴とする請求項１又は２に記載の反応液循環式準好気性埋立処分方法。
【発明の詳細な説明】
【０００１】
【発明の属する技術分野】
本発明は反応液循環式準好気性埋立処分方法に関し、準好気性埋立処分場の埋立廃棄物層において汚染物を分解して早期に安定化する技術に係るものである。
【０００２】
【従来の技術】
近年、廃棄物の埋立処分工法として採用事例の多い準好気性埋立処分場としては例えば図３に示すものがある。この準好気性埋立処分場は埋立地の埋立基礎地盤１に遮水工２を施工し、遮水工２の上方に廃棄物を埋め立てる領域を形成し、この領域に埋立廃棄物層３を形成するものであり、遮水工２は粘土層や遮水シート等からなるもので、降水等に由来する浸出水が埋立地基礎地盤１へ浸透することを防止するものである。この廃棄物を埋め立てる埋立領域と非埋立領域の境には双方の領域を隔てる堰堤４を設けており、さらに埋立領域は区画堤（図示省略）によって域内を複数に区画する場合もある。
【０００３】
遮水工２の上部には集排水管５を配設しており、集排水管５は下流端が堰堤４に形成した集排水ピット６に連通している。集排水管５は浸出水を排出するためのものであり、その構造は種々のものがあるが、ここでは有孔管７の周囲を栗石８で覆った構造をなす。埋立廃棄物層３の所定位置には埋立廃棄物層３で発生するガスを外部へ排出するためにガス抜管（空気竪渠）９もしくは栗石１０を内部に積み上げた蛇かご１１を配置している。
【０００４】
集排水ピット６には排水ポンプ１２を設けており、集排水ピット６に流入した浸出水を排水ポンプ１２で浸出水処理施設の浸出水調整槽１３に送水する。浸出水調整槽１３に貯留する浸出水は浸出水調整槽１３に配置した供給ポンプ１４で埋立廃棄物層３に還流させ、一部を浸出水処理施設に供給して処理する。
【０００５】
この構造では集排水管５によって浸出水をできるだけ速やかに埋立地の系外へ排除する。また、廃棄物の微生物分解によって発生した熱で埋立地内の温度が上昇して内部温度と外気温度との差により熱対流が生じ、この熱対流で空気（酸素）が集排水管５を通って埋立廃棄物層３へ導入され、空気を取り込むことによって埋立廃棄物層３の中に好気性の微生物環境を形成する。また、集排水管５に接続するガス抜管９または蛇かご１１によって空気を埋立廃棄物層３へ導入して好気性領域を増加させる。さらに、浸出水を埋立廃棄物層３に還流させることによって微生物の集積を図り、埋立廃棄物層３の浄化機能を増進して微生物の活性を高めて埋立地の早期安定化を促進する。
【０００６】
この種の埋立処分方法に係る先行技術文献としては特許文献１および２がある。
【０００７】
【特許文献１】
特開平８−５７４３９号公報
【０００８】
【特許文献２】
特開平１０−７６２３６号公報
【０００９】
【発明が解決しようとする課題】
上記した循環式準好気性埋立処分場においては、集排水管５に接続するガス抜管９または蛇かご１１によって空気を埋立廃棄物層３へ導入して好気性領域を増加させており、特許文献１では、埋立処分場内に竪方向に送気管と排気管を設け、ガスと空気の圧力差を利用することで動力を使わずに吸気と排気を同時に行い、酸化性ガスまたは塩基性ガスを吹き込むことで廃棄物層に含まれる物質を変化させている。
【００１０】
しかし、埋立廃棄物層３に浸出水の内部貯留がある場合には、吸気した空気は内部貯留の水面より上方にしか浸入せず、内部貯留の水面下が嫌気的領域となる。また、埋立廃棄物層３は基本的に不均質な構造であり、一般的に廃棄物の種類は単一でなく、単一である場合でも廃棄物の粒度、粒径、粒形、含水率、硬さに分布が存在し、不均一な性状である。このため、空気の流れに短絡経路ができ、空気が行き渡らない領域ができる。
【００１１】
また、上記した構成では、浸出水の還流によって微生物の集積を図るとともに、埋立廃棄物層３の廃棄物を洗い出す効果を得ることで、処分場の早期安定化を図っている。特許文献２においても回収した浸出水を廃棄物層の上部から散水している。
【００１２】
しかし、浸出水散水によってある程度の洗い出し効果は期待できるが、廃棄物層に含まれる物質は変化せず、水溶性の低い物質は洗い出されない。また、上記したように、埋立廃棄物層３は基本的に不均質な構造であり、還流した浸出水や雨水の浸透水は特定の経路（水みち）しか流れず、浸透水に晒されない領域ができる。
【００１３】
本発明は上記した課題を解決するものであり、浸出水を還流する埋立廃棄物層において有害物質を変化させるとともに、内部貯留の有無に関係なく埋立廃棄物層の全体を浄化することができる反応液循環式準好気性埋立処分方法を提供することを目的とする。
【００１４】
【課題を解決するための手段】
上記課題を解決するために、請求項１に係る本発明の反応液循環式準好気性埋立処分方法は、埋立廃棄物層の浸出水を浸出水集排水管で集水し、浸出水集排水管から排出する浸出水を浸出水調整槽に貯留し、浸出水調整槽に貯留する浸出水を散水手段で埋立廃棄物層に還流する循環式準好気性埋立処分方法において、浸出水調整槽に薬剤として酸化剤、塩基、微生物培地を形成する養分、溶媒、キレート剤の少なくとも何れかを供給し、埋立廃棄物層に還流する浸出水に伴って前記薬剤を埋立廃棄物層中に供給するものである。
【００１５】
上記した構成により、酸化剤、塩基、微生物培地を形成する養分、溶媒、キレート剤等が埋立廃棄物層に還流する浸出水に伴って埋立廃棄物層中に浸透することで、従来の浸出水のみでは困難であった廃棄物層に含まれる物質が変化するものであり、埋立廃棄物層に酸化剤、塩基が浸透して有害物質の分解を促進し、可燃性ガス、硫化水素等のガスの発生を抑制し、埋立廃棄物層に微生物培地を形成する糖類等の養分が浸透して微生物の蓄積を促進して埋立廃棄物層の浄化作用を向上させ、埋立廃棄物層に溶媒としてエタノール等の有機溶媒が浸透して廃棄物から有害物質を抽出して浸出水とともに層外へ排出し、埋立廃棄物層にキレート剤が浸透して廃棄物の重金属を固定化し、埋立処分地の早期安定化を図ることができる。
【００１６】
また、埋立廃棄物層に内部貯留が存在する場合でも、浸出水とともに埋立廃棄物層に浸透する薬剤が内部貯留の浸出水中で拡散することで、内部貯留の有無にかかわらず薬剤による埋立処分地全体の早期安定化を図ることができる。
【００１７】
請求項２に係る本発明の反応液循環式準好気性埋立処分方法は、移動可能な構造をなす散水手段を用いて浸出水の散水位置を変更するものである。
上記した構成により、埋立廃棄物層の各領域に散水手段を移動させ、この領域の廃棄物の性質、性状、浄化の進行度に応じた適正な薬剤を伴う浸出水を散水することで、埋立処分地の早期安定化を図ることができる。
【００１８】
請求項３に係る本発明の反応液循環式準好気性埋立処分方法は、浸出水集排水管を通して埋立廃棄物層から浸出水を排出するとともに、浸出水集排水管を通して埋立廃棄物層へ空気を供給する非内部貯留状態と、埋立廃棄物層に浸出水を所定水位に滞水させる内部貯留状態とを繰り返すものである。
【００１９】
上記した構成により、非内部貯留状態において、浸出水集排水管によって浸出水を速やかに埋立地の系外へ排除するとともに、空気を浸出水集排水管によって埋立廃棄物層へ導入して埋立廃棄物層中に好気性の微生物環境を形成しつつ、薬剤が埋立廃棄物層中に浸透することで埋立処分地の早期安定化を図る。内部貯留状態において薬剤を伴った浸出水中に廃棄物を浸漬することで、有害物質と薬剤との接触を促進するとともに、有害物質の溶出・反応時間を長く確保することができ、さらに浸出水に浸漬することで埋立層性状を変化させて、非内部貯留状態で埋立廃棄物層中に形成された空気の短絡経路や浸出水の短絡経路を解消させる。非内部貯留状態と内部貯留状態の変更を定期的に、あるいは任意の時に繰り返すことで、埋立処分地全体の早期安定化を図ることができる。
【００２０】
【発明の実施の形態】
以下、本発明の実施の形態を図面に基づいて説明する。先に図３において説明したものと同様のものには同符号を付して説明を省略する。図１〜２において、反応液循環式準好気性埋立処分場では、埋立廃棄物層３から出る浸出水を集排水管５で集水し、集排水管５から集排水ピット６に流入した浸出水を排水ポンプ１２で浸出水処理施設の浸出水調整槽１３に送水する。浸出水調整槽１３に貯留する浸出水は浸出水調整槽１３に配置した散水手段の一部をなす供給ポンプ１４で埋立廃棄物層３に還流させ、一部を浸出水処理施設に供給して処理する。
【００２１】
散水手段は供給ポンプ１４に接続した送水管１５および送水管１５の適当な複数箇所に配置した散水口１６を有しており、散水手段は浸出水の散水位置を変更するために送水管１５をホース等のフレキシブルな部材で形成して散水口１６を移動可能な構造をなしている。
【００２２】
浸出水調整槽１３には薬剤として酸化剤、塩基、微生物培地を形成する養分、溶媒、キレート剤の少なくとも何れかを供給する。
上記した構成により、浸出水調整槽１３に供給する酸化剤、塩基、微生物培地を形成する養分、溶媒、キレート剤等が、埋立廃棄物層３に還流する浸出水に伴って埋立廃棄物層３に浸透し、従来の浸出水のみでは困難であった廃棄物層に含まれる物質を変化させる。例えば、埋立廃棄物層３に酸化剤、塩基が浸透すると有害物質の分解を促進し、可燃性ガス、硫化水素等のガスの発生を抑制する。埋立廃棄物層３に微生物培地を形成する糖類等の養分が浸透すると微生物の蓄積を促進して埋立廃棄物層３の浄化作用を向上させる。埋立廃棄物層３に溶媒としてエタノール等の有機溶媒が浸透すると廃棄物から有害物質を抽出して浸出水とともに層外へ排出することができる。埋立廃棄物層３にキレート剤が浸透すると廃棄物の重金属を固定化し、埋立処分地の早期安定化を図ることができる。
【００２３】
薬剤を含む浸出水は従来のような酸化性ガスや塩基性ガス等の気体と異なり、液体であるので埋立廃棄物層３の内部貯留の浸出水中にも浸透して拡散し、内部貯留の有無にかかわらず薬剤による埋立処分地全体の早期安定化を図ることができる。
【００２４】
また、埋立廃棄物層の各領域の廃棄物は、出所や時期が異なることで、その性質、性状、浄化の進行度が異なる。このため、埋立廃棄物層３の各領域に送水管１５の散水口１６を移動させ、その領域の廃棄物の性質、性状、浄化の進行度に応じた適正な薬剤を伴う浸出水を散水することで、埋立処分地の早期安定化を図ることができる。
【００２５】
図１に示すような、非内部貯留状態では、集排水管５を通して埋立廃棄物層３から浸出水を排出するとともに、集排水管５を通して埋立廃棄物層３へ空気を供給して、埋立廃棄物層３に好気性の微生物環境を形成しつつ、薬剤が埋立廃棄物層中に浸透することで埋立処分地の早期安定化を図る。
【００２６】
そして、定期的にあるいは任意の時に、図２に示すように、埋立廃棄物層３に浸出水を所定水位に滞水させる内部貯留状態とする。この内部貯留状態では、薬剤を伴った浸出水中に廃棄物を浸漬することで、有害物質と薬剤との接触を促進するとともに、有害物質の溶出・反応時間を長く確保する。さらに浸出水に浸漬することで埋立層性状を変化させて、非内部貯留状態で埋立廃棄物層３に形成された空気の短絡経路や浸出水の短絡経路を解消させる。
【００２７】
このように、非内部貯留状態と内部貯留状態の変更を定期的に、あるいは任意の時に繰り返すことで、埋立処分地全体の早期安定化を図ることができる。
【００２８】
【発明の効果】
以上のように本発明によれば、酸化剤、塩基、微生物培地を形成する養分、溶媒、キレート剤等を浸出水に伴って埋立廃棄物層中に浸透させることで、有害物質の分解を促進し、可燃性ガス、硫化水素等のガスの発生を抑制し、微生物の蓄積を促進して埋立廃棄物層の浄化作用を向上させ、有害物質を抽出して層外へ排出し、重金属を固定化して埋立処分地の早期安定化を図ることができる。散水手段の移動によって各領域の廃棄物の性質、性状、浄化の進行度に応じた適正な薬剤を伴う浸出水を散水することで、埋立処分地の早期安定化を図ることができる。非内部貯留状態において埋立廃棄物層中に好気性の微生物環境を形成しつつ、薬剤の浸透により埋立処分地の早期安定化を図り、内部貯留状態において有害物質の溶出・反応時間を長く確保するとともに、非内部貯留状態で形成された空気の短絡経路や浸出水の短絡経路を解消させ、非内部貯留状態と内部貯留状態の繰り返しによって埋立処分地全体の早期安定化を図ることができる。
【図面の簡単な説明】
【図１】本発明の実施の形態における反応液循環式準好気性埋立処分方法を示す模式図である。
【図２】同反応液循環式準好気性埋立処分方法における内部貯留状態を示す模式図である。
【図３】従来の循環式準好気性埋立処分方法を示す模式図である。
【符号の説明】
１    埋立基礎地盤
２    遮水工
３    埋立廃棄物層
４    堰堤
５    集排水管
６    集排水ピット
７    有孔管
８    栗石
９    ガス抜管（空気竪渠）
１０    栗石
１１    蛇かご
１２    排水ポンプ
１３    浸出水調整槽
１４    供給ポンプ
１５    送水管
１６    散水口
【図１】
2004351239.tif 000003
【図２】
2004351239.tif 000004
【図３】
2004351239.tif 000005